(57)【要約】【課題】  眼部按摩に適したマッサージ器の提供。【解決手段】  内部に充気洩気装置と動力装置が設けられた本体、緊縛機能を具えたバンド、拡縮及び発熱機能を発生する按摩熱敷装置、動作フロー及び按摩力調整を制御するコントローラーを包含し、本体に伸縮調整構造が設けられて所定の変形を発生し、異なる円弧を形成し、本体にあって人体のツボ位置例えば太陽穴に対応する位置に振動体が設けられ、使用時に例えば眼部按摩に使用され、按摩熱敷装置が効果的に異なる使用者の眼部に当接し、適用性が広く、振動体が太陽穴のようなツボ位置に対してツボ按摩を行い、人体眼部に極めて快適な熱敷按摩保健効果を具備させる。【選択図】        図１
0003115942.tif 000002
【実用新案登録請求の範囲】
【請求項１】
マッサージ器において、
内部に関係按摩構成部品が設けられた本体と、
バンドと、
を具え、そのうち、本体に伸縮調整機構が設けられて所定の変形を発生可能であり、異なる曲度を構成し、使用時に効果的に異なる使用者の接触面に当接できることを特徴とする、マッサージ器。
【請求項２】
請求項１記載のマッサージ器において、伸縮調整機構が第１カバー及びその二側の第２カバー、第３カバーを包含し、そのうち、第１カバーの二側に所定長さの二つの案内溝が設けられ、案内溝に凸縁が設けられ、第２カバー、第３カバーが第１カバーの二側に嵌合され、第２カバー、第３カバーの内壁に第１カバーの案内溝に対応する嵌合体が設けられ、嵌合体の一部が凸縁に導入されて、第２カバー、第３カバーが外向きに展開可能とされたことを特徴とする、マッサージ器。
【請求項３】
請求項１記載のマッサージ器において、伸縮調整機構が第１カバー及びその二側の第２カバー、第３カバーを包含し、そのうち、第１カバーの二側にＴ形の案内溝が設けられ、第２カバー、第３カバーが第１カバーの二側に嵌合され、第２カバー、第３カバーの内壁に第１カバーの案内溝に対応するマッシュルーム状の嵌合体が設けられ、嵌合体の組合せ時に案内溝の水平部分に導入され、これにより第２カバー、第３カバーが外向きに展開可能とされたことを特徴とする、マッサージ器。
【請求項４】
請求項１記載のマッサージ器において、伸縮調整機構が第１カバー及びその二側の第２カバー、第３カバーを包含し、そのうち、第１カバーの内壁に案内溝が設けられ、第２カバー、第３カバーに案内板が設けられ、案内板が第１カバーの案内溝中に導入されて、第２カバー、第３カバーが外向きに展開可能とされたことを特徴とする、マッサージ器。
【請求項５】
請求項２から請求項４のいずれかに記載のマッサージ器において、第１カバー中に弾性部品が設けられ、弾性部品の一部が第２カバー、第３カバーに結合され、これにより第２カバー、第３カバーが弾性伸縮回復力を具備したことを特徴とする、マッサージ器。
【請求項６】
マッサージ器において、
内部に充気ポンプ、洩気弁、導管、動力装置、回路板が設けられた本体と、
一側が該本体に設けられて緊縛に供されるバンドと、
該バンドの一側に設けられ、内部に気嚢、発熱装置が設けられ、気嚢、発熱装置の通気口及び導線が該本体と結合された、按摩熱敷装置と、
導線で該本体に接続されコントローラーと、
を包含し、使用時に回路装置の駆動により、気嚢及び発熱装置が膨張収縮、発熱機能を発生し、且つコントローラーにより所定の動作フローが操作制御され、全体が眼部に間欠式の膨張収縮按摩、熱敷、振動按摩の交互多重機能を提供することを特徴とする、マッサージ器。
【請求項７】
請求項６記載のマッサージ器において、本体はカバー、固定板が組み合わされて構成されたことを特徴とする、マッサージ器。
【請求項８】
請求項６記載のマッサージ器において、按摩熱敷装置がカバーとされ、カバーが竹炭繊維或いは遠赤外線或いはナノ材料で形成されたことを特徴とする、マッサージ器。
【請求項９】
請求項７記載のマッサージ器において、固定板の所定部分に凹溝が設けられて所定の折り曲げ変形を形成することを特徴とする、マッサージ器。
【請求項１０】
請求項７記載のマッサージ器において、固定板の二側より振動体を具えた突出部が延伸され、該突出部が人体頭部の所定のツボ位置に対応することを特徴とする、マッサージ器。
【請求項１１】
請求項７記載のマッサージ器において、固定板に本体内の構成部品の固定に供される係止座が設けられたことを特徴とする、マッサージ器。
【請求項１２】
請求項６記載のマッサージ器において、カバーの上下端辺に保護條が設けられたことを特徴とする、マッサージ器。
【請求項１３】
請求項６記載のマッサージ器において、本体に伸縮調整機構が設けられて所定の変形を発生可能で、異なる曲度を構成し、使用時に有効に異なる使用者の接触面に当接することを特徴とする、マッサージ器。
【考案の詳細な説明】
【技術分野】
【０００１】
本考案は一種のマッサージ器にかかり、特に、眼部按摩に用いられ、そのうち本体に伸縮調整機構が設けられて所定の変形を発生可能で、有効に異なる使用者の眼部に当接し、按摩効果を最良とすることができ、適用性が広く、また人体のツボ位置例えば太陽穴に対応する位置に振動体が設けられ、振動体が太陽穴のようなツボ位置に対してツボ按摩を行い、人体眼部に極めて快適な按摩保健効果を具備させることができる、マッサージ器に関する。
【背景技術】
【０００２】
工業商業の勃興発展により、現代人は長期に忙しい仕事に携わるようになり、眼を適当に休息及び保養することができないために、眼部の退化を形成しやすい。統計資料によると、台湾人の視力不良は約１００万人であり、小学生の視力不良は５０％、高校生の近視率は８６％にも達し、この驚くべき数字が台湾の学童の近視年齢の下降を示し、且つ視力不良の罹患率は、毎年１０％の成長率を有する。
【０００３】
都市化の結果、高層ビルが林立し、学童は狭い生活空間にあって、近距離の眼の使用時間が長くなり、更にテレビゲームの流行に加え、印刷不良の雑誌の横行が、今日の近視の児童の増加の主要な原因となっている。
【０００４】
このほか、大多数の児童は、近視初期に早期治療を行なうことがなく、気づいた時には既に重度の近視となっており、回復が難しく、更に平時に保養に注意しなければ矯正は更に難しくなる。
【０００５】
いかに眼部を適切に保養し、疲労を除去してリラックス状態となすかは、現代生活にあって重視すべきことであり、近年、多種類の眼部保健用の製品が販売されている。ただし、一般にいずれも大型の治療器材に属するか、単一の機能しか有さないため、使用者による操作に不便であるほか、その構造機能上も理想状態にない。
【０００６】
このため本考案者は特許文献１及び２において周知の眼部保健製品に対して改良を行なっているが、これらの２案の本体はいずれも伸縮調整機構が設置されておらず、所定の変形を発生できず、本体は眼部に設置されるものであるが、周知の通り人によって頭の形、顔の形は同じでないため、本体に伸縮調整機構が設置されていないと、それと按摩熱敷装置（気圧熱敷装置）の眼部との当接の密着度が必然的に不良となり、按摩効果を最良とすることができず、適用性が小さくなる。このほか、本体或いは按摩熱敷装置（気圧熱敷装置）は眼部正面位置に対してのみ按摩動作を行い、頭部側辺の重要なツボ、例えば太陽穴に対しては対応する按摩構造を有していない。ゆえに本考案者は製品の不断の研究改良の理念の下、無数の試作を経て、ついに本考案を提供するに至った。
【０００７】
【特許文献１】台湾実用新案登録第１６９２４１号明細書
【特許文献２】台湾実用新案登録第１９５３１４号明細書
【考案の開示】
【考案が解決しようとする課題】
【０００８】
本考案の目的は、有効に異なる使用者の接触面に当接可能で、最良の按摩効果を達成でき、適用性が広いマッサージ器を提供することにある。本考案のマッサージ器は、構造上、内部に充気洩気装置と動力装置が設けられた本体、緊縛機能を具えたバンド、拡縮及び発熱機能を発生する按摩熱敷装置、動作フロー及び按摩力調整を制御するコントローラーを包含し、本体に伸縮調整構造が設けられて所定の変形を発生し、異なる円弧を形成し、本体にあって人体のツボ位置例えば太陽穴に対応する位置に振動体が設けられる。使用時に例えば眼部按摩に使用され、按摩熱敷装置が効果的に異なる使用者の眼部に当接し、適用性が広く、振動体が太陽穴のようなツボ位置に対してツボ按摩を行い、人体眼部に極めて快適な熱敷按摩保健効果を具備させる。
【課題を解決するための手段】
【０００９】
請求項１の考案は、マッサージ器において、
内部に関係按摩構成部品が設けられた本体と、
バンドと、
を具え、そのうち、本体に伸縮調整機構が設けられて所定の変形を発生可能であり、異なる曲度を構成し、使用時に効果的に異なる使用者の接触面に当接できることを特徴とする、マッサージ器としている。
請求項２の考案は、請求項１記載のマッサージ器において、伸縮調整機構が第１カバー及びその二側の第２カバー、第３カバーを包含し、そのうち、第１カバーの二側に所定長さの二つの案内溝が設けられ、案内溝に凸縁が設けられ、第２カバー、第３カバーが第１カバーの二側に嵌合され、第２カバー、第３カバーの内壁に第１カバーの案内溝に対応する嵌合体が設けられ、嵌合体の一部が凸縁に導入されて、第２カバー、第３カバーが外向きに展開可能とされたことを特徴とする、マッサージ器としている。
請求項３の考案は、請求項１記載のマッサージ器において、伸縮調整機構が第１カバー及びその二側の第２カバー、第３カバーを包含し、そのうち、第１カバーの二側にＴ形の案内溝が設けられ、第２カバー、第３カバーが第１カバーの二側に嵌合され、第２カバー、第３カバーの内壁に第１カバーの案内溝に対応するマッシュルーム状の嵌合体が設けられ、嵌合体の組合せ時に案内溝の水平部分に導入され、これにより第２カバー、第３カバーが外向きに展開可能とされたことを特徴とする、マッサージ器としている。
請求項４の考案は、請求項１記載のマッサージ器において、伸縮調整機構が第１カバー及びその二側の第２カバー、第３カバーを包含し、そのうち、第１カバーの内壁に案内溝が設けられ、第２カバー、第３カバーに案内板が設けられ、案内板が第１カバーの案内溝中に導入されて、第２カバー、第３カバーが外向きに展開可能とされたことを特徴とする、マッサージ器としている。
請求項５の考案は、請求項２から請求項４のいずれかに記載のマッサージ器において、第１カバー中に弾性部品が設けられ、弾性部品の一部が第２カバー、第３カバーに結合され、これにより第２カバー、第３カバーが弾性伸縮回復力を具備したことを特徴とする、マッサージ器としている。
請求項６の考案は、マッサージ器において、
内部に充気ポンプ、洩気弁、導管、動力装置、回路板が設けられた本体と、
一側が該本体に設けられて緊縛に供されるバンドと、
該バンドの一側に設けられ、内部に気嚢、発熱装置が設けられ、気嚢、発熱装置の通気口及び導線が該本体と結合された、按摩熱敷装置と、
導線で該本体に接続されコントローラーと、
を包含し、使用時に回路装置の駆動により、気嚢及び発熱装置が膨張収縮、発熱機能を発生し、且つコントローラーにより所定の動作フローが操作制御され、全体が眼部に間欠式の膨張収縮按摩、熱敷、振動按摩の交互多重機能を提供することを特徴とする、マッサージ器としている。
請求項７の考案は、請求項６記載のマッサージ器において、本体はカバー、固定板が組み合わされて構成されたことを特徴とする、マッサージ器としている。
請求項８の考案は、請求項６記載のマッサージ器において、按摩熱敷装置がカバーとされ、カバーが竹炭繊維或いは遠赤外線或いはナノ材料で形成されたことを特徴とする、マッサージ器としている。
請求項９の考案は、請求項７記載のマッサージ器において、固定板の所定部分に凹溝が設けられて所定の折り曲げ変形を形成することを特徴とする、マッサージ器としている。
請求項１０の考案は、請求項７記載のマッサージ器において、固定板の二側より振動体を具えた突出部が延伸され、該突出部が人体頭部の所定のツボ位置に対応することを特徴とする、マッサージ器としている。
請求項１１の考案は、請求項７記載のマッサージ器において、固定板に本体内の構成部品の固定に供される係止座が設けられたことを特徴とする、マッサージ器としている。
請求項１２の考案は、請求項６記載のマッサージ器において、カバーの上下端辺に保護條が設けられたことを特徴とする、マッサージ器としている。
請求項１３の考案は、請求項６記載のマッサージ器において、本体に伸縮調整機構が設けられて所定の変形を発生可能で、異なる曲度を構成し、使用時に有効に異なる使用者の接触面に当接することを特徴とする、マッサージ器としている。
【考案の効果】
【００１０】
本考案は本体に設けられた伸縮調整機構が発生する所定の変形を利用して、効果的に異なる使用者の眼部に当接可能で、最良の按摩効果を達成し、適用性が広く、また、人のツボ例えば太陽穴に対してツボ按摩が行なえ、人体眼部に極めて快適な熱敷按摩保健効果を提供し、徹底的に周知の眼部保健装置の欠点を解決する。
【考案を実施するための最良の形態】
【００１１】
図１、図２に示されるように、本考案は、内部に充気洩気装置と動力装置が設けられた本体１０、緊縛機能を具えたバンド２０、拡縮及び発熱機能を発生する按摩熱敷装置３０、動作フロー及び按摩力調整を制御するコントローラー４０を包含する。使用時に、按摩熱敷装置３０が膨張収縮、発熱の機能を発生し、コントローラー４０の操作によりそれが間欠式の膨張収縮を形成し、全体が眼部に間欠式の膨張収縮による按摩、熱敷、振動の交互多重作用を施し、人体眼部に快適な保健効果を具備させる。以下に詳細に説明する。
【００１２】
本体１０はバンド２０の一側に位置し、カバー５０、固定板１２が組み合わされてなり、固定部品１０１例えばネジ部品がカバー５０、固定板１２に通されてバンド２０に結合され、また固定部品１０１が介装片１８に通されて、それもバンド２０に固定され、該介装片１８が適当に固定板１２を遮蔽し、装飾の作用を有し、またカバー５０の上下端辺に保護條１１が設けられ、伸縮変形部分を遮蔽する。カバー５０にはウインドウが設けられ、適度に内部の部品、例えば指示ランプの動作を確認でき、カバー５０は伸縮調整機構を具えている。これについては後で説明する。固定板１２に複数の異なる造形の係止座１２１が設けられて、回路板１３、充気ポンプ１４、洩気弁１５、複数の動力装置１６（例えば遠心式回転動力装置）が設けられ、そのうち、洩気弁１５は二つの導管１５１に接続され、三方管を形成し、そのうち一つの導管１５１が充気ポンプ１４に接続され、もう一つの導管１５１は延伸されて固定板１２に開設された孔１２２の外に突出し、洩気弁１５と充気ポンプ１４の作用により按摩熱敷装置３０が膨張収縮の作用を発生し、動力装置１６が全面式振動指圧動作に類似の按摩効果を発生する。上述の各電気装置の接続線は回路板１３に結合される。固定板１２の所定位置に長形凹溝１２３が設けられて、適当な折り曲げ変形可能で、それが伸縮調整可能なカバー５０と組み合わされ、ゆえに本体１０が異なる使用者の眼部に密着し、固定板１２の二側が延伸されて振動体１７、例えば薄型振動モータの突出部が設けられ、この突出部が頭部の太陽穴の位置に対応する。
【００１３】
バンド２０は所定の弾性を具備し、所定部分に受け板２１を具え、本体１０、按摩熱敷装置３０の接続部分を承接する（本体１０の介装片１４、按摩熱敷装置３０が縫合方式で受け板２１に固定される）。所定部分には結合部２２例えば粘着帯が設けられ、バンド２０の長さ、大きさを調整でき、本体１０が人体眼部に緊縛固定され、並びに緊縛程度を調整できる。
【００１４】
按摩熱敷装置３０は本体１０の別の一側に位置し、それは第１当接片３１、第２当接片３２で構成されて人体眼部を遮蔽できるカバー体とされ、カバー体は竹炭繊維（除臭、通気、マイナスイオン及び遠赤外線の四大機能を有する）或いは遠赤外線生成或いはナノ材料で形成され、眼部の血液循環を有効に促進する。カバー５０中には充気膨張に供される気嚢３３及び眼部に対応する薄状発熱装置３４が設けられ、それが眼部に熱敷の効果を提供し、気嚢３３の上方に通気口３３１が設けられ、第１当接片３１に開設された孔３１１を通過した後に本体１０内に延伸されて導管１５１と結合され、且つ本体１０より按摩熱敷装置３０の熱エネルギー電源、気圧源を提供するのに供される。
【００１５】
コントローラー４０は、その外形設計が人体の握持に符合するよう設計され、導線４１で本体１０内に設けられた回路板１３と接続され、内部に回路装置が設けられ、表面に複数の制御スイッチ及び調節ボタンが設けられ、気圧按摩、振動按摩の強度及び熱敷の温度を制御するのに供されるか、或いは使用者に適当な全自動動作フローを選択させる。
【００１６】
図３、４に示されるように、カバー５０の伸縮調整機構は第１カバー５１及びその二側の第２カバー５２、第３カバー５３を包含し、そのうち、第１カバー５１の二側に所定長さの二つの案内溝５１１が設けられ、案内溝５１１に凸縁５１２が設けられ、第１カバー５１に別に二つの耳部５１３が設けられて弾性部品５４の二端の固定に供される。第２カバー５２、第３カバー５３は第１カバー５１の二側に設けられた凹部５１４に嵌合され、その内壁に第１カバー５１の案内溝５１１に対応するＬ状の嵌合体５２１、５３１が設けられ、嵌合体５２１、５３１に案内溝５１１に通され、垂直部分が凸縁５１２に案内され、こうして第２カバー５２、第３カバー５３が第１カバー５１と結合されて脱落防止され、また、第２カバー５２、第３カバー５３が外向きに展開可能とされ、所定の伸縮調整動作を構成する。このほか、弾性部品５４は一部が第２カバー５２、第３カバー５３の構造上（例えば孔座）に係合され、第２カバー５２と第３カバー５３がこれにより弾性伸縮回復力を具備する。
【００１７】
図５、６に示されるように、本体１０がバンド２０による緊縛を利用して人体眼部に装着される時、使用する対象が頭部が比較的大きい大人或いは頭部が比較的小さい子供である場合、カバー５０の第２カバー５２、第３カバー５３は頭の曲度により適当な展開伸縮調整動作を行なえ、これにより完全に異なる使用者の眼部に当接し、適用性が広い。
【００１８】
また、図７、８に示されるように、本体１０は人体眼部に固定され、コントローラー４０による操作が可能で、個人の適応度により予め押圧圧力強度及び熱敷温度を設定して眼部に対する按摩と熱敷を行なえる。気嚢３３は間欠式の膨張収縮を発生し、これにより人体の手部による按摩のような快適な按摩作用を構成できる。また振動体１７が太陽穴に対してツボ按摩を行なえ、人体眼部に極めて快適な熱敷按摩保健効果を提供する。
【００１９】
また、図９に示されるように、カバー５０ａの伸縮調整のもう一つの構造は、第１カバー５１ａ及びその二側の第２カバー５２ａ、第３カバー５３ａを包含し、そのうち、第１カバー５１ａの二側に水平Ｔ形の案内溝５１１ａが設けられ、第１カバー５１ａに別に二つの耳部５１２ａが設けられて、二つの弾性部品５４ａの一端が固定される。第２カバー５２ａ、第３カバー５３ａは第１カバー５１ａの二側に設けられた凹部５１３ａに嵌合され、その内壁に、第１カバー５１ａの案内溝５１１ａに対応してマッシュルーム状の嵌合体５２１ａ、５３１ａが設けられ、嵌合体５２１ａ、５３１ａが組合せ時に先ず案内溝５１１ａの垂直溝部分に通され、更に案内溝５１１ａの水平溝部分に案内され、こうして第２カバー５２ａ、第３カバー５３ａと第１カバー５１ａが結合して脱落不能となり、同時に、第２カバー５２ａ、第３カバー５３ａが外向きに展開可能とされ、所定の伸縮調整動作を構成する。このほか、二つの弾性部品５４ａの別端が第２カバー５２ａ、第３カバー５３ａの構造（例えば孔座）に固定され、これにより第２カバー５２ａ、第３カバー５３ａが弾性伸縮回復力を具備する。
【００２０】
図１０に示されるように、カバー５０ｂの伸縮調整のもう一つの構造は、第１カバー５１ｂ及びその二側の第２カバー５２ｂ、第３カバー５３ｂを包含し、そのうち、第１カバー５１ｂの水平内壁に凸塊５１１ｂが設けられ、凸塊５１１ｂと垂直内壁が案内溝を構成している。第２カバー５２ｂ、第３カバー５３ｂに案内板５２１ｂ、５３１ｂが設けられ、案内板５２１ｂ、５３１ｂが第１カバー５１ｂの凸塊５１１ｂの案内溝中に導入され、こうして、こうして第２カバー５２ｂ、第３カバー５３ｂと第１カバー５１ｂが結合され、また、第２カバー５２ｂ、第３カバー５３ｂが外向きに展開可能とされ、所定の伸縮調整動作を構成する。このほか、二つの弾性部品５４ｂの一端が第２カバー５２ｂ、第３カバー５３ｂの構造（例えば孔座）に固定され、別端が第１カバー（例えば孔座）に固定され、これにより第２カバー５２ｂ、第３カバー５３ｂが弾性伸縮回復力を具備する。
【００２１】
以上の実施例は本考案の範囲を限定するものではなく、本考案の実用新案登録の範囲の記載に基づきなしうる細部の修飾或いは改変は、いずれも本考案の請求範囲に属するものとする。
【図面の簡単な説明】
【００２２】
【図１】本考案の立体外観図である。
【図２】本考案の立体分解図である。
【図３】本考案のカバーの伸縮調整機構の立体分解図である。
【図４】本考案の上方から観た組合せ断面図である。
【図５】本考案を頭の比較的大きな使用者に使用した使用例図である。
【図６】本考案を頭の比較的小さな使用者に使用した使用例図である。
【図７】本考案の使用時の実施例表示図（一）である。
【図８】本考案の使用時の実施例表示図（二）である。
【図９】本考案のカバーの伸縮調整機構の別の構造の立体分解図である。
【図１０】本考案のカバーの伸縮調整機構の更に別の構造の立体分解図である。
【符号の説明】
【００２３】
１０  本体                      １０１  固定部品
１１  保護條                    １２  固定板
１２１  係止座                  １２２  孔
１２３  凹溝                    １３  回路板
１４  充気ポンプ                １５  洩気弁
１５１  導管                    １６  動力装置
１７  振動体                    １８  介装片
２０  バンド                    ２１  受け板
２１１  孔                      ２２  結合部
３０  按摩熱敷装置              ３１  第１当接片
３１１  孔                      ３２  第２当接片
３３  気嚢                      ３３１  通気口
３４  発熱装置                  ４０  コントローラー
４１  導線                      ５０  カバー
５１  第１カバー                ５１１  案内溝
５１２  凸縁                    ５１３  耳部
５１４  凹部                    ５２  第２カバー
５２１  嵌合体                  ５３  第３カバー
５３１  嵌合体                  ５４  弾性部品
５０ａ  カバー                  ５１ａ  第１カバー
５１１ａ  案内溝                ５１２ａ  耳部
５１３ａ  凹部                  ５２ａ  第２カバー
５２１ａ  嵌合体                ５３ａ  第３カバー
５３１ａ  嵌合体                ５４ａ  弾性体
５０ｂ  カバー体                ５１ｂ  第１カバー
５１１ｂ  凸塊                  ５２ｂ  第２カバー
５２１ｂ  案内板                ５３ｂ  第３カバー
５３１ｂ  案内板                ５４ｂ  弾性部品
【図１】
0003115942.tif 000003
【図２】
0003115942.tif 000004
【図３】
0003115942.tif 000005
【図４】
0003115942.tif 000006
【図５】
0003115942.tif 000007
【図６】
0003115942.tif 000008
【図７】
0003115942.tif 000009
【図８】
0003115942.tif 000010
【図９】
0003115942.tif 000011
【図１０】
0003115942.tif 000012
【手続補正書】
【提出日】平成17年8月22日(2005.8.22)
【手続補正１】
【補正対象書類名】実用新案登録請求の範囲
【補正対象項目名】全文
【補正方法】変更
【補正の内容】
【実用新案登録請求の範囲】
【請求項１】
マッサージ器において、
内部に関係按摩構成部品が設けられた本体と、
バンドと、
を具え、そのうち、本体に伸縮調整機構が設けられて所定の変形を発生可能であり、異なる曲度を構成し、使用時に効果的に異なる使用者の接触面に当接できることを特徴とする、マッサージ器。
【請求項２】
請求項１記載のマッサージ器において、伸縮調整機構が第１カバー及びその二側の第２カバー、第３カバーを包含し、そのうち、第１カバーの二側に所定長さの二つの案内溝が設けられ、案内溝に凸縁が設けられ、第２カバー、第３カバーが第１カバーの二側に嵌合され、第２カバー、第３カバーの内壁に第１カバーの案内溝に対応する嵌合体が設けられ、嵌合体の一部が凸縁に導入されて、第２カバー、第３カバーが外向きに展開可能とされたことを特徴とする、マッサージ器。
【請求項３】
請求項１記載のマッサージ器において、伸縮調整機構が第１カバー及びその二側の第２カバー、第３カバーを包含し、そのうち、第１カバーの二側にＴ形の案内溝が設けられ、第２カバー、第３カバーが第１カバーの二側に嵌合され、第２カバー、第３カバーの内壁に第１カバーの案内溝に対応するマッシュルーム状の嵌合体が設けられ、嵌合体の組合せ時に案内溝の水平部分に導入され、これにより第２カバー、第３カバーが外向きに展開可能とされたことを特徴とする、マッサージ器。
【請求項４】
請求項１記載のマッサージ器において、伸縮調整機構が第１カバー及びその二側の第２カバー、第３カバーを包含し、そのうち、第１カバーの内壁に案内溝が設けられ、第２カバー、第３カバーに案内板が設けられ、案内板が第１カバーの案内溝中に導入されて、第２カバー、第３カバーが外向きに展開可能とされたことを特徴とする、マッサージ器。
【請求項５】
請求項２から請求項４のいずれかに記載のマッサージ器において、第１カバー中に弾性部品が設けられ、弾性部品の一部が第２カバー、第３カバーに結合され、これにより第２カバー、第３カバーが弾性伸縮回復力を具備したことを特徴とする、マッサージ器。
【手続補正２】
【補正対象書類名】明細書
【補正対象項目名】０００９
【補正方法】変更
【補正の内容】
【０００９】
請求項１の考案は、マッサージ器において、
内部に関係按摩構成部品が設けられた本体と、
バンドと、
を具え、そのうち、本体に伸縮調整機構が設けられて所定の変形を発生可能であり、異なる曲度を構成し、使用時に効果的に異なる使用者の接触面に当接できることを特徴とする、マッサージ器としている。
請求項２の考案は、請求項１記載のマッサージ器において、伸縮調整機構が第１カバー及びその二側の第２カバー、第３カバーを包含し、そのうち、第１カバーの二側に所定長さの二つの案内溝が設けられ、案内溝に凸縁が設けられ、第２カバー、第３カバーが第１カバーの二側に嵌合され、第２カバー、第３カバーの内壁に第１カバーの案内溝に対応する嵌合体が設けられ、嵌合体の一部が凸縁に導入されて、第２カバー、第３カバーが外向きに展開可能とされたことを特徴とする、マッサージ器としている。
請求項３の考案は、請求項１記載のマッサージ器において、伸縮調整機構が第１カバー及びその二側の第２カバー、第３カバーを包含し、そのうち、第１カバーの二側にＴ形の案内溝が設けられ、第２カバー、第３カバーが第１カバーの二側に嵌合され、第２カバー、第３カバーの内壁に第１カバーの案内溝に対応するマッシュルーム状の嵌合体が設けられ、嵌合体の組合せ時に案内溝の水平部分に導入され、これにより第２カバー、第３カバーが外向きに展開可能とされたことを特徴とする、マッサージ器としている。
請求項４の考案は、請求項１記載のマッサージ器において、伸縮調整機構が第１カバー及びその二側の第２カバー、第３カバーを包含し、そのうち、第１カバーの内壁に案内溝が設けられ、第２カバー、第３カバーに案内板が設けられ、案内板が第１カバーの案内溝中に導入されて、第２カバー、第３カバーが外向きに展開可能とされたことを特徴とする、マッサージ器としている。
請求項５の考案は、請求項２から請求項４のいずれかに記載のマッサージ器において、第１カバー中に弾性部品が設けられ、弾性部品の一部が第２カバー、第３カバーに結合され、これにより第２カバー、第３カバーが弾性伸縮回復力を具備したことを特徴とする、マッサージ器としている。